(57)【特許請求の範囲】
【請求項１】
検査対象であるノイズキャンセルヘッドホンが備えるヘッドホンユニットを左右対称に装着支持させるためのヘッドホン支持体をその内部空間に配置した密閉容器と、前記内部空間に圧力変動を起こすべく前記密閉容器の一部に設けられた音通孔にその放音部を向けて該密閉容器に外付けされたスピーカと、前記ヘッドホン支持体に装着支持させた際の前記ヘッドホンユニットのそれぞれの放音面の軸方向と直交する方向を収音軸方向として前記放音面と対向する位置関係のもとで前記ヘッドホン支持体に取り付けた一対の単一指向性コンデンサマイクロホンとを備え、
前記ヘッドホン支持体に装着支持させた前記ヘッドホンユニットのそれぞれに同一の目的ソースの信号が入力された際に各別に発する出力音は、前記スピーカが低周波数の圧力変動を起こすなかで、前記単一指向性コンデンサマイクロホンの別に収音させてその収音レベルを確認することで、左右一対の前記ヘッドホンユニット相互間のバランス状態を検査できるようにしたことを特徴とするノイズキャンセルヘッドホンのための安定動作検査装置。
【請求項２】
前記単一指向性コンデンサマイクロホンの別に収音して得られる収音レベルは、前記単一指向性コンデンサマイクロホンに別途用意されるレベルメータ側を結線させてその振幅状態を目視により確認できるようにした請求項１に記載のノイズキャンセルヘッドホンのための安定動作検査装置。
【請求項３】
前記単一指向性コンデンサマイクロホンの別に収音して得られる収音レベルは、一方の前記単一指向性コンデンサマイクロホンには別途用意されるヘッドホンが備える一方のヘッドホンユニットを、他方の前記単一指向性コンデンサマイクロホンには他方のヘッドホンユニットにそれぞれ結線させて聴覚により確認できるようにした請求項１に記載のノイズキャンセルヘッドホンのための安定動作検査装置。
【発明の詳細な説明】
【技術分野】
【０００１】
本発明は、ノイズキャンセルヘッドホンのための安定動作検査装置に関する技術である。
【背景技術】
【０００２】
ダイナミックヘッドホンを含むノイズキャンセルヘッドホンにおいては、ノイズ（外来音）をマイクロホンで検出し、この検出ノイズを相殺する周波数の逆位相信号音を発するようにしたシステムが採用されており、この場合におけるノイズ検出用のマイクロホンとしては一般に無指向性エレクレットコンデンサマイクロホンが用いられている。
【０００３】
また、ノイズキャンセルヘッドホンに組み込まれるマイクロホンユニットは、振動系が弾性制御であることから共振周波数は可聴帯域の上限に設定され、低域側は振動板の前後をわずかに漏洩させることによって振動板が外気圧で変動しない圧力等価となるように設計する必要がある。
【０００４】
このような要請に応えるものとしては、特許文献１に開示されているヘッドホンユニットが本出願人により既に提案されている。
【先行技術文献】
【特許文献】
【０００５】
【特許文献１】特開２００９−２１８６８６号公報
【０００６】
特許文献１の開示技術は、ヘッドホンユニットにおける振動板の近傍位置に圧力差を解消する弁部を設け、該弁部を介して振動板の前後を外気圧で変動しない圧力等価となるようにしたヘッドホンユニットに関するものである。
【発明の概要】
【発明が解決しようとする課題】
【０００７】
しかし、特許文献１に開示されているヘッドホンユニットのように弁部を設けても、振動板の前後の漏洩具合に仮にバラツキがある場合には、極く低域（１０Ｋｚ以下）の周波数応答にもバラツキが発生する。特に、低域の周波数応答が延びている場合には、気圧の変動で振動板が変位するという不都合があった。
【０００８】
また、ドアの開閉時や地下鉄ホーム内での電車の移動時などには、感知できない圧力変動が発生して例えば目的音のレベルを大きく変動させたり、それが帰還型のタイプであれば発振してしまうなど、ノイズキャンセルヘッドホンの動作を不安定にする不具合もあった。
【０００９】
本発明は、従来技術の上記課題に鑑み、左右一対のヘッドホンユニットが圧力変動が発生するなかでも安定的に動作することを検査することができるノイズキャンセルヘッドホンのための安定動作検査装置を提供することに目的がある。
【課題を解決するための手段】
【００１０】
本発明は、上記目的を達成すべくなされたものであり、検査対象であるノイズキャンセルヘッドホンが備えるヘッドホンユニットを左右対称に装着支持させるためのヘッドホン支持体をその内部空間に配置した密閉容器と、前記内部空間に圧力変動を起こすべく前記密閉容器の一部に設けられた音通孔にその放音部を向けて該密閉容器に外付けされスピーカと、前記ヘッドホン支持体に装着支持させた際の前記ヘッドホンユニットのそれぞれの放音面の軸方向と直交する方向を収音軸方向として前記放音面と対向する位置関係のもとで前記ヘッドホン支持体に取り付けた一対の単一指向性コンデンサマイクロホンとを備え、前記ヘッドホン支持体に装着支持させた前記ヘッドホンユニットのそれぞれに同一の目的ソースの信号が入力された際に各別に発する出力音は、前記スピーカが低周波数の圧力変動を起こすなかで、前記単一指向性コンデンサマイクロホンの別に収音させてその収音レベルを確認することで、左右一対の前記ヘッドホンユニット相互間のバランス状態を検査できるようにしたことを最も主要な特徴とする。
【００１１】
この場合、前記単一指向性コンデンサマイクロホンの別に収音して得られる収音レベルは、前記単一指向性コンデンサマイクロホンに別途用意されるレベルメータ側を結線させてその振幅状態を目視により確認できるようにしたり、一方の前記単一指向性コンデンサマイクロホンには別途用意されるヘッドホンが備える一方のヘッドホンユニットを、他方の前記単一指向性コンデンサマイクロホンには他方のヘッドホンユニットにそれぞれ結線させて聴覚により確認できるようにしたりすることができる。
【発明の効果】
【００１２】
本発明によれば、検査対象であるノイズキャンセルヘッドホンが備える各ヘッドホンユニットのそれぞれに同一の目的ソースの信号を入力した際に発する出力音を、人為的に生成される圧力変動のもとで単一指向性コンデンサマイクロホンにより各別に収音させ、その際におけるそれぞれの収音レベルを各別に確認するだけで、左右のヘッドホンユニット相互間のバランス状態を簡単に検査することができる。
【図面の簡単な説明】
【００１３】
【図１】本発明の構成例を示す概要説明図。
【発明を実施するための形態】
【００１４】
本発明装置は、図１に示されているように、検査対象であるノイズキャンセルヘッドホン５１が備えるヘッドホンユニット５２，５３を左右対称に装着支持させるためのヘッドホン支持体２１をその内部空間１４に配置した密閉容器１１と、内部空間１４に圧力変動を起こすべく密閉容器１１の一部に設けられた音通孔１３にその放音部３２を向けて該密閉容器１１に外付けされたスピーカ３１と、ヘッドホン支持体２１に装着支持させた際のヘッドホンユニット５２，５３のそれぞれの放音面５２ａ，５３ａの軸方向と直交する方向を収音軸方向（図中の矢印方向）として各放音面５２ａ，５３ａと対向する位置関係のもとでヘッドホン支持体２１に取り付けた一対の単一指向性コンデンサマイクロホン４１，４１とを備えてその全体が構成されている。
【００１５】
これらのうち、適宜容量の内部空間１５を備える密閉容器１１は、例えば六面体のひとつである直方体形状を呈して形成されており、取り付けられるスピーカ２１のコーン等の放音部２２の最大径との関係で定まる適宜の開口径の音通孔１３が、その一部である例えば上板部１２に形成されている。
【００１６】
また、密閉容器１１の下板部１４上に位置固定されるヘッドホン支持体２１は、検査対象であるノイズキャンセルヘッドホン５１が備える各ヘッドホンユニット５２，５３を左右対称に装着支持できる略直方体形状を呈して形成されており、その左側面３２側に左側のヘッドホンユニット５２が、右側面３３側に右側のヘッドホンユニット５３をそれぞれ配置できるようになっている。なお、ヘッドホン支持体２１自体の形状については、例えば人頭に模した形状を付与して形成するなど、ノイズキャンセルヘッドホン５１が備える各ヘッドホンユニット５２，５３を左右対称に装着支持できる適宜の形状を備えているものであればよい。
【００１７】
さらに、一対の単一指向性コンデンサマイクロホン４１，４１のうち、一方の単一指向性コンデンサマイクロホン４１は、ヘッドホン支持体２１に装着支持させた際の左側のヘッドホンユニット５２の放音面５２ａの軸方向と直交する方向を収音軸方向（図中の矢印方向）として該放音面５２ａと対向する位置関係のもとでヘッドホン支持体２１に取り付けられている。
【００１８】
また、他方の単一指向性コンデンサマイクロホン４１は、ヘッドホン支持体２１に装着支持させた際の右側のヘッドホンユニット５３の放音面５３ａの軸方向と直交する方向を収音軸方向（図中の矢印方向）として該放音面５３ａと対向する位置関係のもとでヘッドホン支持体２１に取り付けられている。
【００１９】
この場合、一対の単一指向性コンデンサマイクロホン４１，４１のそれぞれは、ヘッドホンユニット５２，５３からの放音を収音し、図示は省略してあるが例えば１ＫＨｚのバンドパスフィルターを介してレベルメータでその振幅状態を検査者が目視確認できるように配線したり、一方の単一指向性コンデンサマイクロホン４１に別途用意されるヘッドホンが備える一方のヘッドホンユニットを、他方の単一指向性コンデンサマイクロホン４１に他方のヘッドホンユニットにそれぞれ結線させてその収音レベルを聴覚により確認できるように配線したりすることができる。
【００２０】
一方、スピーカー３１は、その作動時に密閉容器１１の内部空間１５内に必要な圧力変動を起こすことができる適宜構成のものが用いられ、密閉容器１１が備える音通孔１３をコーン等の放音部３２で外側から覆うようにして取り付けられている。
【００２１】
次に、上記構成からなる本発明の作用効果を図１に基づいて説明すれば、密閉容器１１内に配置されるヘッドホン支持体２１に取り付けられている一方の単一指向性コンデンサマイクロホン４１に対しては、今回の検査対象であるノイズキャンセルヘッドホン５１における左側のマイクロホンユニット５２が、他方の単一指向性コンデンサマイクロホン４１に対しては、右側のマイクロホンユニット５３がそれぞれ装着支持される。
【００２２】
すなわち、左右のマイクロホンユニット５２，５３のうち、左側のヘッドホンユニット５２は、その放音面５２ａの軸方向を一方の単一指向性コンデンサマイクロホン４１の収音軸方向（図中の矢印方向）と直交させ、右側のヘッドホンユニット５３は、その放音面５３ａの軸方向を他方の単一指向性コンデンサマイクロホン４１の収音軸方向（図中の矢印方向）と直交させた配置関係のもとで、それぞれの放音面５２ａ，５３ａを対応関係にある単一指向性コンデンサマイクロホン４１に各別に対向させた状態のもとで、ヘッドホン支持体２１側に装着支持される。
【００２３】
また、このようにして装着支持された各ヘッドホンユニット５２，５３は、外部から同一の目的ソースの信号が各別に入力されるように結線されており、該入力信号に受けて出力音を各別に発することができるようになっている。この場合における入力信号は、図示しないオシレータが発する例えば１ＫＨｚの正弦波信号などのほか、図示しないＣＤプレーヤから送られる楽音信号であってもよい。
【００２４】
このようにして今回の検査対象であるノイズキャンセルヘッドホン５１をヘッドホン支持体２１を介して密閉容器１１内に配置した後は、その内部空間１５に低周波数の圧力変動を人為的に起こすために、スピーカー３１の放音部３２を鳴動させる。
【００２５】
この場合、単一指向性コンデンサマイクロホン４１は、その収音軸方向に対し９０度方向からの応答が無指向性成分であることから、音波の到来方向に対して収音軸方向を直角にすると近接効果の影響を受けない。
【００２６】
つまり、単一指向性コンデンサマイクロホン４１は、圧力変動に対して比較的高い周波数で圧力等価することから、スピーカー３１が極く低い周波数のもとで起こす圧力変動には応答しない特性を有している。
【００２７】
このため、一対の単一指向性コンデンサマイクロホン４１，４１のそれぞれが図示しない例えば１ＫＨｚのバンドパスフィルターを介してレベルメータ側と結線されている場合には、ヘッドホンユニット５２，５３からの放音を収音して得られる収音レベルをレベルメータに表示される振幅状態として検査者が目視により確認することで、その安定性を簡単に検査することができる。
【００２８】
また、一対の単一指向性コンデンサマイクロホン４１，４１のうち、一方の単一指向性コンデンサマイクロホン４１に別途用意される図示しないヘッドホンが備える一方のヘッドホンユニットが、他方の単一指向性コンデンサマイクロホン４１に他方のヘッドホンユニットにそれぞれ結線されている場合には、ヘッドホンユニット５２，５３からの放音を収音して得られる収音レベルを検査者が聴覚により確認することで、その安定性を簡単に検査することができる。
【００２９】
したがって、本発明によれば、検査対象であるノイズキャンセルヘッドホン５１が備える各ヘッドホンユニット５２，５３のそれぞれに同一の目的ソースの信号を入力した際に発する出力音を、人為的に生成される低周波数の圧力変動のもとで単一指向性コンデンサマイクロホン４１により各別に収音させ、その際におけるそれぞれの収音レベルを各別に確認するだけで、左右のヘッドホンユニット５２，５３相互間のバランス状態を簡単に検査することができる。
【符号の説明】
【００３０】
１１  密閉容器
１２  上板部
１３  音通孔
１４  下板部
１５  内部空間
２１  ヘッドホン支持体
２２  左側面
２３  右側面
３１  スピーカ
３２  放音部
４１  単一指向性コンデンサマイクロホン
５１  ノイズキャンセルヘッドホン
５２，５３  ヘッドホンユニット
５２ａ，５３ａ  放音面
【図１】
0005607997.tif 000002